(57)【特許請求の範囲】
【請求項１】
画像表示面側から観察側へ順に配置された、正の屈折力の第１レンズ、負の屈折力の第２レンズ、正の屈折力の第３レンズより構成されるファインダー光学系であって、
前記第１レンズの観察側の面の曲率半径をＲ１２、前記第２レンズの画像表示面側の面の曲率半径をＲ２１、視度−１．０ディオプターのときの画像表示面から前記第１レンズの画像表示面側の面までの光軸上の間隔をＤ１、前記ファインダー光学系の全系の焦点距離をｆ、前記第３レンズの焦点距離をｆ３としたとき、
２．００＜（Ｒ２１＋Ｒ１２）／（Ｒ２１−Ｒ１２）＜１００．００
０．１５＜Ｄ１／ｆ＜１．００
１．０４≦ｆ３／ｆ＜１．５０
なる条件式を満足することを特徴とするファインダー光学系。
【請求項２】
前記第１レンズの焦点距離をｆ１としたとき、
０．３０＜ｆ１／ｆ＜１．００
なる条件式を満足することを特徴とする請求項１に記載のファインダー光学系。
【請求項３】
前記第２レンズの焦点距離をｆ２としたとき、
−１．１０＜ｆ２／ｆ＜−０．５０
なる条件式を満足することを特徴とする請求項１または２に記載のファインダー光学系。
【請求項４】
前記第２レンズの材料のｄ線を基準としたアッベ数をνｄ２としたとき、
５．０＜νｄ２＜３２．０
なる条件式を満足することを特徴とする請求項１乃至３のいずれか１項に記載のファインダー光学系。
【請求項５】
前記第２レンズの観察側の面の曲率半径をＲ２２、前記第３レンズの画像表示面側の面の曲率半径をＲ３１としたとき、
−１０００．００＜（Ｒ３１＋Ｒ２２）／（Ｒ３１−Ｒ２２）＜１０．００
なる条件式を満足することを特徴とする請求項１乃至４のいずれか１項に記載のファインダー光学系。
【請求項６】
前記第１レンズは両凸形状であり、前記第２レンズは両凹形状であり、前記第３レンズは両凸形状であることを特徴とする請求項１乃至５のいずれか１項に記載のファインダー光学系。
【請求項７】
視度調整に際して、前記第１レンズ、前記第２レンズ、前記第３レンズが一体的に移動することを特徴とする請求項１乃至６のいずれか１項に記載のファインダー光学系。
【請求項８】
画像を表示する画像表示素子と、該画像表示素子の画像表示面に表示される画像を請求項１乃至７のいずれか１項に記載のファインダー光学系を用いて観察する観察装置であって、
前記画像表示面の対角長をＨ、視度−１．０ディオプターにおける前記第１レンズの画像表示面側の面から前記第３レンズの観察側の面までの光軸上の間隔をＤ１３としたとき、
０．２０＜Ｈ／Ｄ１３＜０．８０
なる条件式を満足することを特徴とする観察装置。
【請求項９】
画像を表示する画像表示素子と、該画像表示素子の画像表示面に表示される画像を請求項１乃至７のいずれか１項に記載のファインダー光学系を用いて観察する観察装置であって、
前記画像表示面の対角長をＨとしたとき、
０．２０＜Ｈ／ｆ＜０．８０
なる条件式を満足することを特徴とする観察装置。
【請求項１０】
撮像素子と、
前記撮像素子に物体像を形成する撮像光学系と、
前記物体像を表示する画像表示素子と、
前記画像表示素子で表示された画像を観察するために用いられる請求項１乃至７のいずれか１項に記載のファインダー光学系を有することを特徴とする撮像装置。
【発明の詳細な説明】
【技術分野】
【０００１】
本発明は、ファインダー光学系及びそれを有する観察装置、撮像装置に関し、例えばビデオカメラ、スチルカメラ、放送用カメラに用いられる電子ビューファインダーにおいて、画像表示素子に表示される画像を観察するのに好適なものである。
【背景技術】
【０００２】
従来、ビデオカメラや放送用カメラ等の光学機器に用いられる電子ビューファインダーには、カメラ内部に備え付けられた液晶画面に表示した画像を拡大観察するためのファインダー光学系が備えられている。
【０００３】
近年、撮像装置の高機能化等に伴い、視界が広く、画像を大きく映し出すことができる電子ビューファインダーが求められている。こうした要望を実現するための方法として、液晶画面等の画像表示面を大きくする方法や、ファインダー光学系の観察倍率を高くする方法がある。
【０００４】
ここで、画像表示面を大きくすると、ファインダーの大型化を招くため、ファインダー全体としての小型化を図るためには、ファインダー光学系の観察倍率を高くすることが好ましい。ファインダー光学系の観察倍率を高くするためには、ファインダー光学系における正の屈折力を強くする必要がある。ここで、正の屈折力のレンズ（正レンズ）のみでファインダー光学系を構成すると、軸上色収差や倍率色収差等が多く発生し、これらを補正することが困難となる。このため、ファインダー光学系の観察倍率を高めつつ、高精細な観察像を得るためには、正レンズに加えて負の屈折力のレンズ（負レンズ）を用いてファインダー光学系を構成することが好ましい。これにより、軸上色収差や倍率色収差が良好に補正された観察像を得ることができる。
【０００５】
また、ユーザがメガネを掛けた状態でも使用できるような、アイレリーフの長いファインダーが求められている。
【０００６】
特許文献１は、画像表示面側から観察側（アイポイント側）へ順に、正レンズ、負レンズ、正レンズから構成されるファインダー光学系を開示している。観察側に配置された正レンズの形状を適切に設定することで、コマ収差や歪曲収差が良好に補正されたファインダー光学系の実現を図っている。
【先行技術文献】
【特許文献】
【０００７】
【特許文献１】特開２０１０−１７５７９５号公報
【発明の概要】
【発明が解決しようとする課題】
【０００８】
上記のように、アイレリーフが長く、広視野角のファインダー光学系を実現するために、画像表示面側から観察側（アイポイント側）へ順に、正レンズ、負レンズ、正レンズから構成されるファインダー光学系が知られている。
【０００９】
特許文献１のファインダー光学系では、観察時の拡大倍率を高くするために、最も画像表示面側の正レンズと、画像表示面の間隔を広くしている。その結果、ファインダー光学系の大型化を招きやすい。
【００１０】
本発明は、アイレリーフが長く、広視野角かつ小型であり、高い光学性能を有するファインダー光学系及びそれを有する観察装置、撮像装置を提供することを目的とする。
【課題を解決するための手段】
【００１１】
本発明のファインダー光学系は、画像表示面側から観察側へ順に配置された、正の屈折力の第１レンズ、負の屈折力の第２レンズ、正の屈折力の第３レンズより構成されるファインダー光学系であって、前記第１レンズの観察側の面の曲率半径をＲ１２、前記第２レンズの画像表示面側の面の曲率半径をＲ２１、視度−１．０ディオプターのときの画像表示面から前記第１レンズの画像表示面側の面までの光軸上の間隔をＤ１、前記ファインダー光学系の全系の焦点距離をｆ、前記第３レンズの焦点距離をｆ３としたとき、
２．００＜（Ｒ２１＋Ｒ１２）／（Ｒ２１−Ｒ１２）＜１００．００
０．１５＜Ｄ１／ｆ＜１．００
１．０４≦ｆ３／ｆ＜１．５０
なる条件式を満足することを特徴とする。
【発明の効果】
【００１２】
本発明によれば、アイレリーフが長く、広視野角かつ小型であり、高い光学性能を有するファインダー光学系が得られる。
【図面の簡単な説明】
【００１３】
【図１】本発明の実施例１のファインダー光学系のレンズ断面図
【図２】本発明の実施例１のファインダー光学系の各収差図
【図３】本発明の実施例２のファインダー光学系のレンズ断面図
【図４】本発明の実施例２のファインダー光学系の各収差図
【図５】本発明の実施例３のファインダー光学系のレンズ断面図
【図６】本発明の実施例３のファインダー光学系の各収差図
【図７】本発明の実施例４のファインダー光学系のレンズ断面図
【図８】本発明の実施例４のファインダー光学系の各収差図
【図９】本発明の参考例１のファインダー光学系のレンズ断面図
【図１０】本発明の参考例１のファインダー光学系の各収差図
【図１１】本発明の撮像装置の要部概略図
【発明を実施するための形態】
【００１４】
以下、本発明のファインダー光学系及びそれを有する観察装置、撮像装置について添付の図面に基づいて詳細に説明する。本発明のファインダー光学系は画像表示面側より観察側（アイポイント側）へ順に、正の屈折力の第１レンズＧ１、負の屈折力の第２レンズＧ２、正の屈折力の第３レンズＧ３から構成される。
【００１５】
図１は、視度−１．０ディオプター（基準状態）における、実施例１のファインダー光学系のレンズ断面図である。図２は、実施例１のファインダー光学系の基準状態における収差図である。図３は、視度−１．０ディオプター（基準状態）における、実施例２のファインダー光学系のレンズ断面図である。図４は、実施例２のファインダー光学系の基準状態における収差図である。
【００１６】
図５は、視度−１．０ディオプター（基準状態）における、実施例３のファインダー光学系のレンズ断面図である。図６は、実施例３のファインダー光学系の基準状態における収差図である。図７は、視度−１．０ディオプター（基準状態）における、実施例４のファインダー光学系のレンズ断面図である。図８は、実施例４のファインダー光学系の基準状態における収差図である。
【００１７】
図９は、視度−１．０ディオプター（基準状態）における、参考例１のファインダー光学系のレンズ断面図である。図１０は、参考例１のファインダー光学系の基準状態における収差図である。
【００１８】
図１１は本発明のファインダー光学系を備える撮像装置の要部概略図である。
【００１９】
各実施例のファインダー光学系は、例えばデジタルカメラやビデオカメラ等の撮像装置の電子ビューファインダーに用いられる。レンズ断面図において左方は画像表示面側、右方は観察側である。ＤＰは、液晶素子や有機ＥＬ素子等の画像表示素子である。ＣＧは、画像表示素子ＤＰの保護板である。ＰＧは、ファインダー光学系を保護するための保護板である。ＥＰは、ユーザが画像表示素子に表示された像を観察するためのアイポイントである。ここで、画像表示素子ＤＰから出射された軸外光線が、観察者の瞳を通過することができる範囲で、アイポイントＥＰを光軸方向に移動させてもよい。
【００２０】
各収差図では、ファインダー視度が基準状態であるときに各実施例のファインダー光学系において発生する収差を示している。
【００２１】
球面収差図では、ｄ線（波長５８７．６ｎｍ）、ｇ線（波長４３５．８ｎｍ）に対する球面収差を示している。非点収差図において、ΔＳはサジタル像面、ΔＭはメリディオナル像面である。歪曲収差はｄ線について示している。色収差図ではｇ線における色収差を示している。
【００２２】
ここで、アイレリーフが長く、広視野角のファインダー光学系を実現しようとすると、観察像が不鮮明になるおそれが生じる。本発明では、正レンズを２枚、負レンズを１枚用いてファインダー光学系を構成することにより、軸上色収差や倍率色収差が良好に補正された、高精細な観察像を得ることができる。
【００２３】
以上より、本発明では、画像表示面側から観察側へ順に、正の屈折力の第１レンズＧ１、負の屈折力の第２レンズＧ２、正の屈折力の第３レンズＧ３によりファインダー光学系を構成している。
【００２４】
さらに、本発明では、第３レンズＧ３の正の屈折力よりも第１レンズＧ１の正の屈折力の方が強くなるような構成としている。これにより、第２レンズＧ２に入射する光線の高さを低くすることができ、第２レンズＧ２で発生するコマ収差を低減させることができる。また、正レンズを２枚用いることにより、軸外光線を緩やかに屈折させることができ、その結果、コマ収差や高次収差の発生を抑制することができる。
【００２５】
また、各実施例において、第１レンズＧ１は両凸形状のレンズであり、第２レンズＧ２は両凹形状のレンズであり、第３レンズＧ３は両凸形状のレンズである。各レンズの形状をこのようにすることで、各レンズの屈折力を強くすることができ、結果としてレンズ全長を短縮化することができる。
【００２６】
ここで、各実施例のファインダー光学系では、第１レンズＧ１から第３レンズＧ３の全てのレンズを光軸方向に一体的に移動させることにより視度調整を行うことができる。各レンズを一体的に移動させることにより、視度変化に伴うコマ収差の変動を小さくすることができる。
【００２７】
さらに、各実施例のファインダー光学系は、次の条件式を満足している。
２．００＜（Ｒ２１＋Ｒ１２）／（Ｒ２１−Ｒ１２）＜１００．００…（１）
０．１５＜Ｄ１／ｆ＜１．００…（２）
【００２８】
ここで、第１レンズＧ１の観察側の面の曲率半径（近軸の曲率半径）をＲ１２、第２レンズＧ２の画像表示面側の面の曲率半径（近軸の曲率半径）をＲ２１とする。また、視度−１．０ディオプターのときの画像表示面から第１レンズＧ１の画像表示面側の面までの光軸上の間隔をＤ１、ファインダー光学系の全系の焦点距離をｆとする。
【００２９】
条件式（１）は第１レンズＧ１と第２レンズＧ２によって形成される空気レンズの形状を規定したものである。条件式（１）は、空気レンズの形状が画面表示面側に凹のメニスカス形状であることを示している。
【００３０】
条件式（１）の上限値を超えた場合、第１レンズＧ１の観察側の面の曲率が小さくなり過ぎて、コマ収差を十分に補正することが困難になるため好ましくない。
【００３１】
条件式（１）の下限値を超えた場合、第１レンズＧ１の観察側の面の曲率が大きくなり過ぎて、球面収差や非点収差が多く発生するため好ましくない。また、第２レンズＧ２へ入射する光線の高さが低くなり過ぎて、アイレリーフを長くするために第２レンズＧ２の屈折力を強くする必要が生じる。その結果、第２レンズＧ２において球面収差や非点収差が多く発生するため好ましくない。
【００３２】
条件式（２）の上限値を超えると、画像表示面から第１レンズＧ１の画像表示面側の面までの光軸上の間隔が広くなり過ぎて、ファインダー光学系の全長が増大するため好ましくない。また、第１レンズＧ１に入射する光束幅が広くなり、第１レンズＧ１の有効径が大きくなるため好ましくない。条件式（２）の下限値を超えると、画像表示面から第１レンズＧ１の画像表示面側の面までの光軸上の間隔が狭くなり過ぎて、マイナス方向への視度調整を適切に行うことが困難になるため、好ましくない。
【００３３】
なお、各実施例において、好ましくは条件式（１）及び（２）の数値範囲を次のようにするのがよい。
２．１０＜（Ｒ２１＋Ｒ１２）／（Ｒ２１−Ｒ１２）＜２０．００…（１ａ）
０．２０＜Ｄ１／ｆ＜０．８０…（２ａ）
【００３４】
また、更に好ましくは条件式（１）及び（２）の数値範囲を次の如く設定するのが良い。
２．２０＜（Ｒ２１＋Ｒ１２）／（Ｒ２１−Ｒ１２）＜１０．００…（１ｂ）
０．２８＜Ｄ１／ｆ＜０．７０…（２ｂ）
【００３５】
さらに、各実施例において、次の条件式のうち１つ以上を満足することがより好ましい。
０．３０＜ｆ１／ｆ＜１．００…（３）
−１．１０＜ｆ２／ｆ＜−０．５０…（４）
０．５０＜ｆ３／ｆ＜２．５０…（５）
５．０＜νｄ２＜３２．０…（６）
−１０００．００＜（Ｒ３１＋Ｒ２２）／（Ｒ３１−Ｒ２２）＜１０．００…（７）
【００３６】
ここで、第２レンズＧ２の観察側の面の曲率半径（近軸の曲率半径）をＲ２２、第３レンズＧ３の画像表示面側の面の曲率半径（近軸の曲率半径）をＲ３１とする。また、第１レンズＧ１の焦点距離をｆ１、第２レンズＧ２の焦点距離をｆ２、第３レンズＧ３の焦点距離をｆ３とする。また、第２レンズＧ２の材料のｄ線を基準としたアッベ数をνｄ２とする。
【００３７】
アッベ数νｄは、Ｆ線（４８６．１ｎｍ）、Ｃ線（６５６．３ｎｍ）、ｄ線（５８７．６ｎｍ）に対する材料の屈折率をそれぞれＮＦ、ＮＣ、Ｎｄとするとき、
νｄ＝（Ｎｄ−１）／（ＮＦ−ＮＣ）
で表される数値である。
【００３８】
条件式（３）の上限値を超えて、第１レンズＧ１の焦点距離ｆ１が長くなると、第１レンズＧ１の屈折力が弱くなり過ぎて、コマ収差を十分に補正することが困難になるため、好ましくない。
【００３９】
条件式（３）の下限値を超えて、第１レンズＧ１の焦点距離ｆ１が短くなると、第１レンズＧ１の屈折力が強くなり過ぎて、第２レンズＧ２に入射する軸外光線の光軸からの高さが低くなる。その結果、広視野角のファインダー光学系を実現することが困難になるため、好ましくない。
【００４０】
条件式（４）の上限値を超えて、第２レンズＧ２の焦点距離ｆ２が短くなると、第２レンズＧ２の屈折力が強くなり過ぎて、コマ収差が過剰に補正されることになるため、好ましくない。また、第３レンズＧ３に入射する光線の高さが高くなり、第３レンズＧ３の径が大きくなるため好ましくない。
【００４１】
条件式（４）の下限値を超えて、第２レンズＧ２の焦点距離ｆ２が長くなると、第２レンズＧ２の屈折力が弱くなり過ぎて、第２レンズＧ２においてコマ収差を十分に補正することが困難になるため、好ましくない。
【００４２】
条件式（５）の上限値を超えて、第３レンズＧ３の焦点距離ｆ３が長くなると、第３レンズＧ３の屈折力が弱くなり過ぎて、広視野角のファインダー光学系を実現することが困難になるため、好ましくない。
【００４３】
条件式（５）の下限値を超えて、第３レンズＧ３の焦点距離ｆ３が短くなると、第３レンズＧ３の屈折力が強くなり過ぎて、十分に長いアイレリーフを確保することが困難になるため、好ましくない。
【００４４】
条件式（６）の上限値を超えて第２レンズＧ２の材料のｄ線を基準としたアッベ数νｄ２が大きくなると、色収差を十分に補正することが困難になるため、好ましくない。
【００４５】
条件式（６）の下限値を超えて第２レンズＧ２の材料のｄ線を基準としたアッベ数ν２が小さくなると、色収差が過剰に補正されることになり好ましくない。また、レンズ材料として選択可能な材料が限定されてしまうため好ましくない。
【００４６】
条件式（７）は第２レンズＧ２と第３レンズＧ３によって形成される空気レンズの形状を規定したものである。条件式（７）の上限値を超えた場合、第３レンズＧ３の画像表示面側の面の曲率が小さくなり過ぎて、広視野角のファインダー光学系を実現することが困難になるため、好ましくない。
【００４７】
条件式（７）の下限値を超えた場合、第２レンズＧ２の観察側の面の曲率が小さくなり過ぎて、第２レンズＧ２においてコマ収差を十分に補正すること困難になるため、好ましくない。
【００４８】
なお、各実施例において、好ましくは条件式（３）〜（７）の数値範囲を次のようにするのがよい。
０．５０＜ｆ１／ｆ＜０．９０…（３ａ）
−１．０５＜ｆ２／ｆ＜−０．６０…（４ａ）
０．６０＜ｆ３／ｆ＜２．００…（５ａ）
１０．０＜νｄ２＜３０．５…（６ａ）
−５００．００＜（Ｒ３１＋Ｒ２２）／（Ｒ３１−Ｒ２２）＜５．００…（７ａ）
【００４９】
また、更に好ましくは条件式（３）〜（７）の数値範囲を次の如く設定するのが良い。
０．６０＜ｆ１／ｆ＜０．８６…（３ｂ）
−１．０４＜ｆ２／ｆ＜−０．６５…（４ｂ）
０．７０＜ｆ３／ｆ＜１．５０…（５ｂ）
２０．０＜νｄ２＜３０．３…（６ｂ）
−３５０．００＜（Ｒ３１＋Ｒ２２）／（Ｒ３１−Ｒ２２）＜４．００…（７ｂ）
【００５０】
さらに、画像表示面に表示される画像を観察する観察装置に各実施例のファインダー光学系を用いるときには、次の条件式のうち１つ以上を満足することが好ましい。
０．２０＜Ｈ／Ｄ１３＜０．８０…（８）
０．２０＜Ｈ／ｆ＜０．８０…（９）
【００５１】
ここで、画像表示面の対角長をＨ、視度−１．０ディオプターにおける第１レンズＧ１の画像表示面側の面から第３レンズＧ３の観察側の面までの光軸上の間隔をＤ１３、ファインダー光学系の全系の焦点距離をｆとする。
【００５２】
条件式（８）の上限値を超えて、画像表示面が大きくなり過ぎると、第１レンズＧ１に入射する光線の高さが高くなり、第１レンズＧ１の有効径が増大するため好ましくない。
【００５３】
条件式（８）の下限値を超えて、画像表示面が小さくなり過ぎると、画像を大きく映し出すために、ファインダー光学系の拡大倍率を高くする必要が生じる。ファインダー光学系の拡大倍率を高くするために、ファインダー光学系の全系の屈折力を強くすると、諸収差を良好に補正することが困難になるため、好ましくない。また、条件式（８）の下限値を超えると、第１レンズＧ１の画像表示面側の面から第３レンズＧ３の観察側の面までの光軸上の間隔Ｄ１３が大きくなり過ぎて、ファインダー光学系が大型化するため好ましくない。
【００５４】
条件式（９）の上限値を超えて、画像表示面が大きくなり過ぎると、第１レンズＧ１に入射する光線の高さが高くなり、第１レンズＧ１の有効径が増大するため好ましくない。また、条件式（９）の上限値を超えて、ファインダー光学系の全系の焦点距離ｆが短くなると、ファインダー光学系の全系の屈折力が強くなり過ぎて、諸収差を良好に補正することが困難になるため、好ましくない。
【００５５】
条件式（９）の下限値を超えて、画像表示面が小さくなり過ぎると、画像を大きく映し出すために、ファインダー光学系の拡大倍率を高くする必要が生じる。ファインダー光学系の拡大倍率を高くするために、ファインダー光学系の全系の屈折力を強くすると、諸収差を良好に補正することが困難になるため、好ましくない。また、条件式（９）の下限値を超えて、ファインダー光学系の全系の焦点距離ｆが長くなると、広視野角のファインダー光学系を実現することが困難になるため、好ましくない。
【００５６】
なお、各実施例において、好ましくは条件式（８）及び（９）の数値範囲を次のようにするのがよい。
０．２５＜Ｈ／Ｄ１３＜０．６０…（８ａ）
０．３０＜Ｈ／ｆ＜０．６０…（９ａ）
【００５７】
また、更に好ましくは条件式（８）及び（９）の数値範囲を次の如く設定するのが良い。
０．３０＜Ｈ／Ｄ１３＜０．５０…（８ｂ）
０．３３＜Ｈ／ｆ＜０．５０…（９ｂ）
【００５８】
次に、本発明の実施例１〜４にそれぞれ対応する数値実施例１〜４と、参考例１に対応する数値参考例１を示す。各数値実施例において、ｉは画像表示面側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。ｒ１は画像表示面を示し、ｒ２は、画像表示面を保護するための保護板の観察側の面を示す。最も観察側の面はアイポイントＥＰを示す。
【００５９】
また、Ｋを離心率、Ａ４、Ａ６、Ａ８を非球面係数、面頂点を基準にしたときの、光軸からの高さｈの位置での光軸方向の変位をｘとするとき、非球面形状は、
ｘ＝（ｈ２／Ｒ）／［１＋［１−（１＋Ｋ）（ｈ／Ｒ）２］１／２］＋Ａ４ｈ４＋Ａ６ｈ６＋Ａ８ｈ８
で表示される。但しＲは近軸曲率半径である。面番号の右側に＊を付した面は、非球面であることを示す。また「ｅ−Ｚ」の表示は「１０−Ｚ」を意味する。
【００６０】
［数値実施例１］
単位 mm
面データ
面番号       r        d      nd         νd
1  (画像表示面)
2          ∞       0.70   1.51633    64.1
3          ∞     (可変)
4*         8.357    5.10   1.49171    57.4
5*        -6.143    1.80
6*        -8.542    1.00   1.58500    30.2
7         10.376    0.30
8         10.307    3.62   1.49171    57.4
9*       -10.456  (可変)
10          ∞       1.00   1.49171    57.4
11          ∞      11.00
12  (アイポイント)
非球面データ
第4面
K =-5.45607e+000
第5面
K =-1.03996e+000  A 4= 3.92745e-004  A 6=-3.00145e-006  A 8= 2.12118e-008
第6面
K =-9.64168e-001  A 4= 9.25026e-004  A 6=-1.74638e-006
第9面
K =-2.06489e+000  A 4= 1.55012e-004  A 6= 5.96927e-006
各種データ
視度[diopter]   -1.0    -3.0      3.0
焦点距離       10.76    10.76    10.76
d 3             6.76     6.52     7.21
d 9             0.92     1.16     0.46
【００６１】
［数値実施例２］
単位 mm
面データ
面番号       r        d      nd         νd
1  (画像表示面)
2          ∞       0.70   1.51633    64.1
3          ∞     (可変)
4*         7.370    5.10   1.53160    55.8
5*        -7.506    1.11
6*       -15.562    1.00   1.63550    23.9
7          9.481    1.50
8         16.347    3.62   1.53160    55.8
9*        -9.931  (可変)
10          ∞       1.00   1.49171    57.4
11          ∞      11.00
12  (アイポイント)
非球面データ
第4面
K =-5.36454e+000  A 4=-4.01790e-005
第5面
K =-9.80945e-001  A 4= 5.59152e-004  A 6=-2.49735e-006  A 8= 3.04155e-008
第6面
K =-1.05481e+000  A 4= 9.39317e-004  A 6=-2.62140e-006
第9面
K =-2.12145e+000  A 4=-9.53563e-005  A 6= 1.27891e-006
各種データ
視度[diopter]  -1.0     -3.0      3.0
焦点距離       10.73    10.73    10.73
d 3            5.34     5.10     5.79
d 9            2.34     2.58     1.89
【００６２】
［数値実施例３］
単位 mm
面データ
面番号       r        d      nd         νd
1  (画像表示面)
2          ∞       0.70   1.51633    64.1
3          ∞     (可変)
4*         8.368    3.50   1.53160    55.8
5*        -8.076    1.50
6*       -10.064    1.00   1.63550    23.9
7         17.581    1.00
8         32.576    4.00   1.53160    55.8
9*        -7.391  (可変)
10          ∞       1.00   1.49171    57.4
11          ∞      11.00
12  (アイポイント)
非球面データ
第4面
K =-5.36684e+000  A 4= 3.97666e-004
第5面
K =-1.07584e+000  A 4= 7.50887e-004  A 6= 8.20911e-006  A 8= 1.81876e-009
第6面
K =-9.91174e-001  A 4= 3.62930e-004  A 6= 5.02784e-006
第9面
K =-2.11528e+000  A 4=-4.90386e-004  A 6= 3.52245e-006
各種データ
視度[diopter]   -1.0     -3.0      3.0
焦点距離       10.73    10.73    10.73
d 3             5.14     4.90     5.60
d 9             1.54     1.77     1.08
【００６３】
［数値実施例４］
単位 mm
面データ
面番号       r        d      nd         νd
1  (画像表示画面)
2          ∞       0.70   1.51633    64.1
3          ∞     (可変)
4*         6.916    5.10   1.53160    55.8
5*        -6.660    1.28
6*       -16.531    1.00   1.63550    23.9
7         10.360    1.50
8         20.120    3.62   1.53160    55.8
9*        -9.671  (可変)
10          ∞       1.00   1.49171    57.4
11          ∞      11.00
12  (アイポイント) 
非球面データ
第4面
K =-5.51942e+000  A 4= 1.78189e-004
第5面
K =-8.51736e-001  A 4= 4.66404e-004  A 6=-3.24636e-006  A 8= 4.16130e-008
第6面
K =-8.97278e-002  A 4= 4.62514e-004  A 6=-6.03029e-006
第9面
K =-2.11657e+000  A 4=-2.11200e-004  A 6=-2.28052e-007
各種データ
視度[diopter] -1.0     -3.0      3.0
焦点距離       9.80     9.80     9.80
d 3            4.57     4.37     4.95
d 9            1.11     1.31     0.73
【００６４】
［数値参考例１］
単位 mm
面データ
面番号       r        d        nd       νd
1  (画像表示面)
2          ∞       0.70   1.51633    64.1
3          ∞     (可変)
4*        18.060    5.10   1.49171    57.4
5*        -7.031    3.00
6*        -9.227    1.00   1.58500    30.2
7         12.518    1.51
8         10.062    3.62   1.49171    57.4
9*        -8.190  (可変)
10          ∞       1.00   1.49171    57.4
11          ∞      10.00
12  (アイポイント)
非球面データ
第4面
K =-5.47962e+000
第5面
K =-1.26681e+000  A 4= 7.56145e-004  A 6= 7.52290e-006  A 8=-2.65773e-007
第6面
K =-1.01572e+000  A 4= 9.90874e-004  A 6= 1.33541e-005
第9面
K =-2.07154e+000  A 4= 3.51837e-005  A 6= 1.07947e-005
各種データ
視度[diopter]  -1.0     -3.0      3.0
焦点距離       13.0     13.0     13.0
d 3            3.83     3.49     4.50
d 9            1.54     1.88     0.87
【００６５】
続いて、各数値実施例における上述した条件式の数値を表１に示す。
【００６６】
【表１】
0006436680.tif 000002
【００６７】
次に、各実施例に示したファインダー光学系を用いた撮像装置の実施形態について、図１１を用いて説明する。撮像光学系１０１により形成された物体像は、光電変換素子である撮像素子１０２により電気信号に変換される。撮像素子１０２としては、ＣＣＤセンサやＣＭＯＳセンサなどが用いられる。
【００６８】
撮像素子１０２からの出力信号が画像処理回路１０３において処理され、画像が形成される。形成された画像は、半導体メモリ、磁気テープ、光ディスクなどの記録媒体に記録される。また、画像処理回路１０３において形成された画像は、ファインダーユニット１０５に表示される。ファインダーユニット１０５は、画像表示素子１０５１及び各実施例のファインダー光学系１０５２を備える。画像表示素子１０５１は、液晶表示素子ＬＣＤやＣＲＴ等から構成される。
【００６９】
このように本発明のファインダー光学系を、デジタルカメラやビデオカメラ等の撮像装置に適用することにより、広視野角かつ小型であり、高い光学性能を有する撮像装置を得ることができる。
【符号の説明】
【００７０】
Ｇ１  第１レンズ
Ｇ２  第２レンズ
Ｇ３  第３レンズ
ＥＰ  アイポイント
ＤＰ  画像表示素子
ＣＧ  画像表示素子の保護板
ＰＧ  ファインダー光学系の保護板
【図１】
0006436680.tif 000003
【図２】
0006436680.tif 000004
【図３】
0006436680.tif 000005
【図４】
0006436680.tif 000006
【図５】
0006436680.tif 000007
【図６】
0006436680.tif 000008
【図７】
0006436680.tif 000009
【図８】
0006436680.tif 000010
【図９】
0006436680.tif 000011
【図１０】
0006436680.tif 000012
【図１１】
0006436680.tif 000013